(57)【要約】      （修正有）【課題】隙間隠しカバーでシート・クッションとシート・バックとの間の隙間を常に隠せ、シート・バックをほぼフラットに後倒しさせても隙間に隙間隠しカバーの入り込みを未然に回避でき、再びシート・バックを起して後にもカバーに隙間隠し機能を確保できて常に見映えを保つ。【解決手段】シート・バック１２が、下端２１をシート・クッション１１の後端１５の上に位置させて、後方土手２０が、シート・クッション１１の後面１７を上方に伸ばしてシート・クッション１１の座面１６よりも上方に盛り上げられ、シート・クッション１１とシート・バック１２との間の隙間３０を狭め、隙間隠しカバー１４が、上端２５でシート・バック１２の下端２１の背裏側に固定的に取り付けられて垂れ下げられ、後方土手２０の後側を通ってそのシート・クッション１１のその後面１７に伸びる。【選択図】図３
2007089745.tif 000002
【特許請求の範囲】
【請求項１】
シート・バックが、それの下端をシート・クッションの後端の上に位置させてリクライニング・デバイスでそのシート・クッションに後倒しおよび角度調整可能に支持され、後方土手が、そのシート・クッションのその後端上に左右方向に伸び、そのシート・クッションの後面を上方に伸ばしてそのシート・クッションの座面よりも上方に盛り上げられ、そして、そのシート・クッションとそのシート・バックとの間の隙間を狭め、そして、隙間隠しカバーが、それの上端でそのシート・バックのその下端の背裏側に固定的に取り付けられて垂れ下げられ、そして、その後方土手の後側を通ってそのシート・クッションのその後面に伸びるところの自動車に用いるリクライニング・シート。
【発明の詳細な説明】
【技術分野】
【０００１】
この発明は、自動車に用いられるリクライニング・シートに関し、詳細には、シート・バックがシート・クッションとほぼフラットに後倒しされて後に再び起こされてもそのシート・クッションとそのシート・バックとの間の隙間隠し機能を確保するところの自動車に用いるリクライニング・シートに関する。
【背景技術】
【０００２】
通常、シート・バックがリクライニング・デバイスでシート・クッションに後倒しおよび角度調整可能に支持されるフロント・リクライニング・シートやセカンド・リクライニング・シートでは、隙間隠し垂れでそのシート・クッションとそのシート・バックとの隙間が隠される。ところが、そのシート・バックがそのシート・クッションにほぼフラットに後倒しされると、その隙間隠し垂れはそのシート・クッションとそのシート・バックとの間の隙間に入り込み、その後、そのシート・バックが起こされてもその隙間隠し垂れはそのシート・クッションとそのシート・バックとの間のその隙間に入り込んだまたになって隙間隠しとして機能しなくなる。
【特許文献１】実開平５−４９４７公報
【発明の開示】
【発明が解決しようとする課題】
【０００３】
この発明の課題は、隙間隠しカバーでシート・クッションとシート・バックとの間の隙間を常に隠せ、特に、そのシート・バックをそのシート・クッションにほぼフラットに後倒しさせてもその隙間にその隙間隠しカバーの入り込みを未然に回避でき、再びそのシート・バックを起して後にもそのカバーに隙間隠し機能を確保できて常に見映えが保てるところの自動車に用いるリクライニング・シートの提供にある。
【課題を解決するための手段】
【０００４】
この発明は、シート・バックが、それの下端をシート・クッションの後端の上に位置させてリクライニング・デバイスでそのシート・クッションに後倒しおよび角度調整可能に支持され、後方土手が、そのシート・クッションのその後端上に左右方向に伸び、そのシート・クッションの後面を上方に伸ばしてそのシート・クッションの座面よりも上方に盛り上げられ、そして、そのシート・クッションとそのシート・バックとの間の隙間を狭め、そして、隙間隠しカバーが、それの上端でそのシート・バックのその下端の背裏側に固定的に取り付けられて垂れ下げられ、そして、その後方土手の後側を通ってそのシート・クッションのその後面に伸びる。
【発明の効果】
【０００５】
この発明では、その後方土手が、そのシート・クッションのその後端上に左右方向に伸び、そのシート・クッションの後面を上方に伸ばしてそのシート・クッションの座面よりも上方に盛り上げられ、そして、そのシート・クッションとそのシート・バックとの間の隙間を狭め、そして、その隙間隠しカバーが、それの上端でそのシート・バックのその下端の背裏側に固定的に取り付けられて垂れ下げられ、そして、その後方土手の後側を通ってそのシート・クッションのその後面に伸びるので、そのシート・クッションとそのシート・バックとの間の隙間がその隙間隠しカバーで常に隠され、また、そのシート・バックがそのシート・クッションにほぼフラットに後倒しされてもその隙間隠しカバーがその後方土手で確実に阻止されてその隙間に入り込むことが確実に回避され、そして、そのシート・バックが再び起こされて後にもそのカバーに隙間隠し機能が確保され、そして、常に見映えが保たれる。
【発明を実施するための最良の形態】
【０００６】
その後方土手が、そのシート・クッションのその後端上に左右方向に伸び、そのシート・クッションの後面を上方に伸ばしてそのシート・クッションの座面よりも上方に断面半円形に盛り上げられ、そして、そのシート・クッションとそのシート・バックとの間の隙間を狭め、そして、その隙間隠しカバーが、それの上端でそのシート・バックのその下端の背裏側に固定的に取り付けられて垂れ下げられ、そして、その後方土手の後側を通ってそのシート・クッションのその後面に伸ばされる。
【実施例１】
【０００７】
以下、特定されて図示された具体例に基づいて、この発明の自動車に用いるリクライニング・シートを説明するに、図１ないし図３は、ワゴンのフロント・シートあるいはセカンド・シートに活用されるところのこの発明の自動車に用いるリクライニング・シートの具体例１０を示し、そして、このリクライニング・シート１０は、シート・トラックを組み込むシート・クッション１１、左右のリクライニング・デバイスでそのシート・クッション１１に後倒しおよび角度調整可能に支持されるシート・バック１２、およびそのシート・バック・１２に取り外し可能に組み付けられるヘッドレスト１３で組み立てられ、そして、そのシート・トラックでそのワゴンのフロアに前後調整可能に据え付けられる。
【０００８】
そのリクライニング・シート１０では、そのシート・バック１２が、それの下端２１をそのシート・クッション１１の後端１５の上に位置させてその左右のリクライニング・デバイスでそのシート・クッション１１に後倒しおよび角度調整可能に支持され、また、後方土手２０が、そのシート・クッション１１のその後端１５上に左右方向に伸び、そのシート・クッション１１の後面１７を上方に伸ばしてそのシート・クッション１１の座面１６よりも上方に断面半円形に盛り上げられ、そして、そのシート・クッション１１とそのシート・バック１２との間の隙間３０を狭め、さらに、隙間隠しカバー１４が、それの上端２５でそのシート・バック１２のその下端２１の背裏側に固定的に取り付けられて垂れ下げられ、そして、その後方土手２０の後側を通ってそのシート・クッション１１のその後面１７に伸ばされる。
【０００９】
さらに詳細には、その隙間隠しカバー１４は、そのシート・バック１２の背裏面２２の下端においてシート・バック・トリム・カバー２４にその上方カバー端２５を共縫いされて垂れ下げられ、そして、その後方土手２０の後側に通されてそのシート・クッション１１のその後面１７に伸ばされる。そのように、その隙間隠しカバー１４は、その後方土手２０の後側でそのシート・バック１２のその背裏面２２のその下端からそのシート・クッション１１のその後面１７に伸びて垂れ下げられ、そして、そのシート・クッション１１とそのシート・バック１２との間のその隙間３０を隠す。
【００１０】
このリクライニング・シート１０において、１８はシート・クッション・パッド、１９はシート・クッション・トリム・カバー、そして、２３はシート・バック・パッドである。
【００１１】
したがって、このリクライニング・シート１０では、そのシート・クッション１１のその後端１５とそのシート・バック１２のその下端２１との間にできるその隙間３０がその後方土手２０で狭められ、そして、その隙間隠しカバー１４で隠され、特に、そのシート・バック１２がそのシート・クッション１１にほぼフラットに後倒しされる際、その隙間隠しカバー１４はその後方土手２０で確実に阻止されてその隙間３０に入り込みことを未然に回避され、そして、そのシート・バック１２が再び起こされて後にもその隙間３０はその隙間隠しカバー１４で確実に隠される。そのように、その隙間隠しカバー１４には隙間隠し機能が確保されてその隙間３０はそのカバー１４で常に隠されて見栄えが保たれる。
また、このリクライニング・シート１０では、その後方土手２０がそのシート・クッション１１のその座面１６よりも上方に断面半円形に大きく盛り上げられるので、そのシート・クッション・トリム・カバー１９はそのシート・クッション・パッド１８に被せ易くなてしわを生ずることなしにそのシート・クッション・パッド１８に張られて被せ可能になり、そして、シート・クッション・フレームに止められて固定され、その結果、そのシート・クッション・トリム・カバー１９の被せ作業が簡単でそのシート・クッション１１は見映え良く仕上げられる。
【００１２】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１３】
上述から理解されるように、この発明の自動車に用いるリクライニング・シートは、シート・バックが、それの下端をシート・クッションの後端の上に位置させてリクライニング・デバイスでそのシート・クッションに後倒しおよび角度調整可能に支持され、後方土手が、そのシート・クッションのその後端上に左右方向に伸び、そのシート・クッションの後面を上方に伸ばしてそのシート・クッションの座面よりも上方に盛り上げられ、そして、そのシート・クッションとそのシート・バックとの間の隙間を狭め、そして、隙間隠しカバーが、それの上端でそのシート・バックのその下端の背裏側に固定的に取り付けられて垂れ下げられ、そして、その後方土手の後側を通ってそのシート・クッションのその後面に伸びるのでこの発明の自動車に用いるリクライニング・シートでは、そのシート・クッションとそのシート・バックとの間にできるその隙間がその後方土手で狭められてその隙間隠しカバーで隠され、特に、そのシート・バックがそのシート・クッションにほぼフラットに後倒しされる際にもその隙間隠しカバーがその後方土手で確実に阻止されてその隙間に入り込むことを未然に回避され、そして、そのシート・バックが再び起こされて後にもその隙間がその隙間隠しカバーで確実に、そのように、その隙間隠しカバーには隙間隠し機能が確保されてその隙間隠しカバーで常に隠されて見映えが保たれ、さらに、その後方土手がそのシート・クッションのその後面を上方に伸ばしてそのシート・クッションのその座面よりも上方に大きく盛り上げあられるので、表皮がそのシート・クッション・パッドに被せ易くなってしわを生ずることなしにそのシート・クッション・パッドに張られて被せ可能になり、そのようにしてその表皮の被せ作業が簡単でそのシート・クッションが見映え良く仕上げられ、その結果、乗用車、ワゴン、バンなどにとって非常に有用で実用的である。
【図面の簡単な説明】
【００１４】
【図１】ワゴンのフロント・シートあるいはセカンド・シートに活用されるところのこの発明の自動車に用いるリクライニング・シートの具体例を後から見て示した斜視図である。
【図２】そのリクライニング・シートの起し状態を一部破断して示した部分断面図である。
【図３】そのリクライニング・シートの後倒し直前状態を一部破断して示した部分断面図である。
【符号の説明】
【００１５】
１１  シート・クッション
１２  シート・バック
１３  ヘッドレスト
１４  隙間隠しカバー
１５  後端
１６  座面
１７  後端
２０  後方土手
２１  下端
２２  背裏面
２５  上端／上方カバー端
２６  下端／下方カバー端
３０  隙間
【図１】
2007089745.tif 000003
【図２】
2007089745.tif 000004
【図３】
2007089745.tif 000005